(57)【要約】【課題】プロジェクターを設置する設置台に関する技術を提供することを目的とする。【解決手段】プロジェクターとしての携帯電話２を設置するための設置台１は、携帯電話２を設置する設置部１０１と、設置部１０１に対する相対位置を固定可能であり、携帯電話２から投写された画像を表示するためのスクリーン部１０２と、を有する。これにより、プロジェクター携帯電話２から画像を投写する際に、投写面であるスクリーン部１０２に対する携帯電話２の相対位置の調整と、この相対位置の固定を容易に行うことが可能となる。従って、携帯電話２を用いて画像を投写する準備に要する時間を短縮することができる。【選択図】図９
2012068554.tif 000002
【特許請求の範囲】
【請求項１】
プロジェクターを設置するための設置台であって、
前記プロジェクターを設置する設置部と、
前記設置部に対する相対位置を固定可能であり、前記プロジェクターから投写された画像を表示するためのスクリーン部と、を有することを特徴とする設置台。
【請求項２】
請求項１に記載の設置台において、
外部電源から電力を受け取るための接続部と、
前記外部電源から受け取った電力を前記プロジェクターに供給する電力供給部と、を有することを特徴とする設置台。
【請求項３】
請求項１又は２に記載の設置台において、
前記設置部は、複数の前記プロジェクターを設置可能であることを特徴とする設置台。
【請求項４】
請求項１〜３のいずれか一項に記載の設置台において、
前記スクリーン部を収納可能な収納部を備えることを特徴とする設置台。
【請求項５】
請求項４に記載の設置台において、
前記収納部は前記設置部に設けられることを特徴とする設置台。
【請求項６】
請求項１〜５のいずれか一項に記載の設置台において、
前記スクリーン部を支持可能なスクリーン支持部を備え、
前記スクリーン支持部は、
前記設置部が設置される設置面に沿って延在可能な第１の部材と、
前記第１の部材に対して直交し、前記スクリーン部が取り付けられる第２の部材と、
を有することを特徴とする設置台。
【請求項７】
請求項６に記載の設置台において、
前記スクリーン部及び前記スクリーン支持部は、前記第１の部材及び前記第２の部材が折り畳まれた状態で前記収納部に収納されることを特徴とする設置台。
【請求項８】
請求項１〜７のいずれか一項に記載の設置台において、
前記スクリーン支持部は、前記プロジェクターと前記スクリーン部との相対距離を調整可能であることを特徴とする設置台。
【発明の詳細な説明】
【技術分野】
【０００１】
本発明は、プロジェクターを設置するための設置台に関する。
【背景技術】
【０００２】
従来から、画像を投写する機能を備えた小型の電子機器（例えば、携帯電話）が提案されており、この電子機器を設置するための設置台についても提案されている。なお以下の説明では、画像を投写する機能を備えた電子機器を「プロジェクター」と称する場合がある。
【０００３】
例えば特許文献１には、画像を投写する機能を備えた携帯電話を台座に設置し、その状態で携帯電話から画像を投写することが記載されている。またこの文献には、台座が複数の携帯電話を支持可能であることも記載されている（特許文献１参照）。
【先行技術文献】
【特許文献】
【０００４】
【特許文献１】特開２００９−２８４３１１号公報
【発明の概要】
【発明が解決しようとする課題】
【０００５】
しかしながら、プロジェクターから投写される画像を適切な形状で表示させるには、プロジェクターと画像が投写される投写面との位置関係、つまりプロジェクターの設置台と投写面との位置関係を適切に調整する必要があり、画像を投写する前の準備に時間がかかるという問題が生じる。
【０００６】
本発明は、プロジェクターから投写面に対して画像を投写する際の調整が容易な設置台を提供することを目的とする。
【課題を解決するための手段】
【０００７】
本発明は、上述の課題の少なくとも一部を解決するために、以下の形態または適用例を取ることが可能である。
【０００８】
〔適用例１〕本適用例に係る設置台は、プロジェクターを設置するための設置台であって、前記プロジェクターを設置する設置部と、前記設置部に対する相対位置を固定可能であり、前記プロジェクターから投写された画像を表示するためのスクリーン部と、を有することを特徴とする。
【０００９】
この適用例によれば、プロジェクターから画像を投写する際に、投写面であるスクリーンに対するプロジェクターの相対位置の調整と、この相対位置の固定を容易に行うことが可能となる。従って、プロジェクターを用いて画像を投写する前の準備に要する時間を短縮することができる。
【００１０】
〔適用例２〕上記適用例に係る設置台において、外部電源から電力を受け取るための接続部と、前記外部電源から受け取った電力を前記プロジェクターに供給する電力供給部と、を有することが好ましい。
【００１１】
この適用例によれば、プロジェクターから画像を投写しつつ、プロジェクターへ電力を供給することができる。係る構成であれば、プロジェクターがバッテリー等の内部電源によって駆動される場合であっても、プロジェクターに供給される電力が途絶えることがないため、安定して画像の投写を行うことができる。
【００１２】
〔適用例３〕上記適用例に係る設置台において、前記設置部は、複数の前記プロジェクターを設置可能であることが好ましい。
【００１３】
この適用例によれば、複数のプロジェクターを用いて画像を投写することができる。複数のプロジェクターを用いることで、１台のプロジェクターによって投写できる画像よりもより明るい画像、又はより大きい画像を投写することができる。
【００１４】
〔適用例４〕上記適用例に係る設置台において、前記スクリーン部を収納可能な収納部を備えることが好ましい。
【００１５】
この適用例によれば、スクリーン部を収納部に収納できることから、設置台の持ち運びが容易になり、設置台を使用しないときの収納も容易になる。
【００１６】
〔適用例５〕上記適用例に係る設置台において、前記収納部は前記設置部に設けられることが好ましい。
【００１７】
この適用例によれば、スクリーン部を設置部の内部に収納できることから、設置台の持ち運びが容易になり、設置台を使用しない時の収納も容易になる。
【００１８】
〔適用例６〕上記適用例に係る設置台において、前記スクリーン部を支持可能なスクリーン支持部を備え、前記スクリーン支持部は、前記設置部が設置される設置面に沿って延在可能な第１の部材と、前記第１の部材に対して直交し、前記スクリーン部が取り付けられる第２の部材と、を有することが好ましい。
【００１９】
この適用例によれば、設置台はスクリーン部を支持可能なスクリーン支持部を有するので、画像を投写する際にスクリーンを安定した状態で支持することができる。
【００２０】
〔適用例７〕上記適用例に係る設置台において、前記スクリーン部及び前記スクリーン支持部は、前記第１の部材及び前記第２の部材が折り畳まれた状態で前記収納部に収納されることが好ましい。
【００２１】
この適用例によれば、第１の部材及び第２の部材が折り畳まれた状態で収納部に収納されることから、設置台の持ち運びが容易になり、設置台を使用しない時の収納も容易になる。
【００２２】
〔適用例８〕上記適用例に係る設置台において、前記スクリーン支持部は、前記プロジェクターと前記スクリーン部との相対距離を調整可能であることが好ましい。
【００２３】
この適用例によれば、プロジェクターとスクリーン部との相対距離を調整可能であることから、スクリーン部に投写される画像の大きさを調整することができる。
【図面の簡単な説明】
【００２４】
【図１】実施例における設置台の斜視図である。
【図２】実施例における設置台を図１に示す矢印Pの方向から見た概略図である。
【図３】実施例における設置台の構成を示すブロック図である。
【図４】実施例における携帯電話の構成を示す図である。
【図５】実施例における携帯電話の構成を示すブロック図である。
【図６】実施例における投写部の構成を示すブロック図である。
【図７】実施例における設置台及び携帯電話が接続された状態を示す図である。
【図８】実施例における設置台及び携帯電話が接続された状態におけるブロック図である。
【図９】実施例における設置台及び携帯電話が接続された状態の側面図である。
【図１０】実施例におけるスクリーン部を移動させた状態を示す図である。
【発明を実施するための形態】
【００２５】
次に、本発明の実施の形態を実施例に基づいて説明する。
Ａ．実施例：
（Ａ１）設置台１の構成
（Ａ２）携帯電話２の構成
（Ａ３）設置台１及び携帯電話２が接続された状態における動作
Ｂ．変形例
【００２６】
Ａ．実施例：
（Ａ１）設置台１の構成
図１は、本発明の実施例における設置台の斜視図である。
設置台１は、プロジェクターを設置するための設置台である。本実施例では、画像を投写することが可能な、後述する携帯電話２をプロジェクターとして用いることができる。
【００２７】
設置台１は、プロジェクターを設置するための設置部１０１と、設置部１０１に対する相対位置を固定可能であり、プロジェクターから投写された画像を表示するためのスクリーン部１０２と、を有する。また、設置台１は、設置部１０１が設置される設置面に沿って延在可能な第１の支持部材１０３と、第１の支持部材１０３に対して直交し、スクリーン部１０２が取り付けられる第２の支持部材１０４と、を有する。
第１の支持部材１０３は設置部１０１の底面と略平行な面内で伸縮可能である。また、第２の支持部材１０４は設置部１０１の底面と略直交する方向に伸縮可能である。第１の部材１０３及び第２の部材１０４は、協働してスクリーン部１０２を支持可能である。第１の部材１０３及び第２の部材１０４は、本実施例のスクリーン支持部を構成する。
【００２８】
設置台１に設置されたプロジェクター（図示せず）は、スクリーン部１０２に画像を投写する。
図２は、設置部１０１を図１に示す矢印Pの方向から見た概略図である。
設置部１０１は設置面１０１Ａ及び設置面１０１Ｂを有しており、設置面１０１Ａにはプロジェクターが設置される。また、スクリーン部１０２、第１の支持部材１０３、及び第２の支持部材１０４を収納可能な収納部１０５が設置部１０１に設けられている。スクリーン部１０２、第１の支持部材１０３及び第２の支持部材１０４は、第１の支持部材１０３及び第２の支持部材１０４が折り畳まれた状態で収納部１０５に収納される。
また、設置部１０１の設置面１０１Ｂには操作部１０７が設けられている。
【００２９】
図３は、設置台１の全体構成を示すブロック図である。
設置台１は、制御部１０６、操作部１０７、画像記憶部１０８、電力供給部１０９、及び接続部１１０を備える。制御部１０６は、設置台１全体の動作を制御する。
操作部１０７は、使用者による操作を受け付ける。使用者は、操作部１０７を介して、設置台１に設置されたプロジェクターとしての携帯電話２を操作することができる。
画像記憶部１０８は、画像データを記憶する。画像記憶部１０８が記憶する画像データは静止画であってもよいし、動画であっても良い。
電力供給部１０９は、外部電源（不図示）から供給された電力を設置台１の各構成要素に供給する。電力供給部１０９は、設置台１０１に設置された携帯電話２に電力を供給することも可能である。
接続部１１０は、外部電源と接続された場合に、当該外部電源からの電力を電力供給部１０９に供給するものであり、例えばコンセント等である。
【００３０】
（Ａ２）携帯電話２の構成
図４は、プロジェクターの一例である携帯電話２の構成を示す図である。
携帯電話２は、表示部２０１、操作部２０２、連結部２０３、及び投写部２０６を有する。表示部２０１及び操作部２０２は、連結部２０３によって連結されている。表示部２０１は、連結部２０３を回動軸として操作部２０２に対して回動可能である。表示部２０１は、表示部２０１と操作部２０２とが重なった状態を基準（θ＝０°）に、表示部２０１が操作部２０２から離れていく方向を＋θ方向とすると、０°≦θ≦１６０°の範囲で回動可能である。ここではθの上限を１６０°としているが、上限値はこれに限られない。
表示部２０１は表示画面２０１Ａを備えており、この表示画面２０１Ａには種々の情報が表示される。また操作部２０２は複数の操作ボタン２０２Ａを含み、使用者はこの操作ボタン２０２Ａを押下することで携帯電話２を操作することができる。投写部２０６は、スクリーン（図示せず）等に画像を表示する光を投写する。なお、投写部２０６については後段で詳述する。
【００３１】
図５は、携帯電話２の機能ブロック図である。
携帯電話２は、表示部２０１、操作部２０２、制御部２０４、画像記憶部２０５、投写部２０６、電力供給部２０７、及びバッテリー部２０８を備える。制御部２０４は、携帯電話２全体の動作を制御する。
画像記憶部２０５は、画像データを記憶する。画像記憶部２０５に記憶される画像データは静止画であってもよいし、動画であっても良い。
投写部２０６は、画像データに基づいて投写面ＳＣに画像を投写する。投写面ＳＣは、設置台１のスクリーン部１０２であっても良いし、これ以外の投写面であっても良い。
電力供給部２０７は、設置台１の電力供給部１０９、又はバッテリー部２０８から電力を受け取り、携帯電話２の各構成要素に供給する。バッテリー部２０８は電力を充電可能であり、電力供給部２０７へ電力を供給する。携帯電話２は、外部電源と接続されていない場合であってもバッテリー部２０８に充電された電力によって動作可能である。
【００３２】
図６は、投写部２０６の構成を示すブロック図である。
図６に示すように、投写部２０６は、光源２０６１、光変調部２０６２、投写光学系としての投写レンズ２０６３、等を含んでいる。画像投写部２０６は、光源２０６１から射出された光を、光変調部２０６２で変調し、この変調された光を投写レンズ２０６３で投写することによって投写面ＳＣ等に画像を表示する。
【００３３】
光源２０６１は、赤色光を射出する赤色発光ダイオード（赤色ＬＥＤ）２０６１Ｒ、緑色光を射出する緑色発光ダイオード（緑色ＬＥＤ）２０６１Ｇ、及び青色光を射出する青色発光ダイオード（青色ＬＥＤ）２０６１Ｂを含む。光源２０６１は、超高圧水銀ランプやメタルハライドランプ等からなる放電型の発光部や、レーザー光源を用いる構成であっても良い。
【００３４】
赤色ＬＥＤ２０６１Ｒ、緑色ＬＥＤ２０６１Ｇ、及び青色ＬＥＤ２０６１Ｂは、時間順次に点灯し、光変調部２０６２を照明する。そのため、ある瞬間においては特定の色光のみが光源２０６１から光変調部２０６２に対して射出される。
【００３５】
光変調部２０６２は、光源２０６１から時間順次に射出される各色光を、その色光に対応した画像信号に応じて時間順次に変調する。光変調部２０６２としては、透過型の液晶ライトバルブ、反射型の液晶ライトバルブ、マイクロミラーデバイス等を用いることができる。
【００３６】
（Ａ３）設置台１及び携帯電話２が接続された状態における動作
図７は、設置台１と携帯電話２が接続された状態を示す図である。
設置部１０１の設置面１０１Ａには、携帯電話２を挿入可能な凹部が設けられている。また、携帯電話２がこの設置面１０１Ａの凹部に挿入されると、設置台１の電力供給部１０９と携帯電話２の電力供給部２０７が電気的に接続されるようになっている。
また、携帯電話２がこの設置面１０１Ａの凹部に挿入されると、設置台１の制御部１０６と携帯電話２の制御部２０４も電気的に接続され、制御部１０６と制御部２０４との間で指示信号、画像信号等の送受信が可能となる。
また、使用者は、操作部１０７を介して携帯電話２に対する指示を入力することができる。
【００３７】
図８は、設置台１と携帯電話２が接続された状態のブロック図である。
設置台１と携帯電話２が接続されることにより、設置台１の電力供給部１０９は接続部１１０から供給された電力を携帯電話２の電力供給部２０７に供給することができる。また、設置台１と携帯電話２が接続されることにより、設置台１の制御部１０６は、設置台１の操作部１０７に対して入力された操作に対応する指示信号を、携帯電話２の制御部２０４に出力することができる。
【００３８】
図９は、設置台１と携帯電話２が接続された状態の側面図である。
設置台１は、携帯電話２が設置部１０１に設置された際に、その位置を固定可能である。また、第１の支持部材１０３及び第２の支持部材１０４は、設置部１０１に対するスクリーン部１０２の相対位置を固定することができる。従って設置台１は、スクリーン部１０２に対する携帯電話２の相対位置を固定することができる。
【００３９】
図１０は、スクリーン部１０２の移動を示した図である。第１の支持部材１０３及び第２の支持部材１０４は、第１の支持部材１０３及び第２の支持部材１０４が固定された状態で、携帯電話２とスクリーン部１０２との相対距離を調整可能である。携帯電話２とスクリーン部１０２との間の相対距離を大きくすると、携帯電話２から投写されてスクリーン部１０２に表示される画像は大きくなる。従って設置台１の使用者は、携帯電話２とスクリーン部１０２との相対距離を調整することで、画像の大きさを調整することができる。
【００４０】
以上のように、本発明を適用した実施例に係る設置台１は、プロジェクターとしての携帯電話２を設置する設置部１０１と、設置部１０１に対する相対位置を固定可能であり、携帯電話２から投写された画像を表示するためのスクリーン部１０２と、を有する。これにより、携帯電話２から画像を投写する際に、投写面であるスクリーン１０２に対する携帯電話２の相対位置の調整と、この相対位置の固定を容易に行うことが可能となる。従って、携帯電話２を用いて画像を投写する準備に要する時間を短縮することができる。
【００４１】
また、設置台１は、外部電源から電力を受け取るための接続部１１０と、外部電源から受け取った電力を携帯電話２に供給する電力供給部１０９と、を有する。これにより、携帯電話２から画像を投写しつつ、携帯電話２へ電力を供給することができる。係る構成であれば、携帯電話２がバッテリー等の内部電源によって駆動される場合であっても、携帯電話２に供給される電力が途絶えることがないため、安定して画像の投写を行うことができる。
【００４２】
（Ｂ）変形例：
この発明は上記の実施例や実施形態に限られるものではなく、その要旨を逸脱しない範囲において種々の態様において実施することが可能であり、例えば次のような変形が可能である。
【００４３】
（１）上記実施例では、設置台１には１台の携帯電話２を設置可能であるが、これに限られない。設置台１には、複数の携帯電話２を設置可能であっても良い。この場合、各携帯電話２からの画像を重ねて投写することで、１台の携帯電話２で投写できる画像よりも明るい画像を表示することができる。また、各携帯電話２からの画像を並べて投写することで、１台の携帯電話２で投写できる画像よりも大きな画像を表示することができる。
【００４４】
（２）上記実施例では、プロジェクターとして携帯電話２を用いる場合を例に挙げて説明したが、これに限られない。プロジェクターとしては画像を投写することが可能な種々の電子機器を用いることができる。例えば、画像を投写することが可能なデジタルカメラ、パーソナルコンピューター、ポータブルメディアプレーヤー等をプロジェクターとして用いることが可能である。
【符号の説明】
【００４５】
１…設置台、  ２…携帯電話、  １０１…設置部、  １０１Ａ…設置面、  １０１Ｂ…設置面、  １０２…スクリーン部、  １０３…第１の支持部材、  １０４…第２の支持部材、  １０５…収納部、  １０６…制御部、  １０７…操作部、  １０８…画像記憶部、  １０９…電力供給部、  １１０…接続部、  ２０１…表示部、  ２０２…操作部、  ２０３…連結部、  ２０４…制御部、  ２０５…画像記憶部、  ２０６…投写部、  ２０７…電力供給部、  ２０８…バッテリー部、  ＳＣ…投写面。
【図１】
2012068554.tif 000003
【図２】
2012068554.tif 000004
【図３】
2012068554.tif 000005
【図４】
2012068554.tif 000006
【図５】
2012068554.tif 000007
【図６】
2012068554.tif 000008
【図７】
2012068554.tif 000009
【図８】
2012068554.tif 000010
【図９】
2012068554.tif 000011
【図１０】
2012068554.tif 000012